(57)【特許請求の範囲】
【請求項１】
液透過性のトップシートと、液不透過性のバックシートと、前記トップシート及び前記バックシートの間に介在する吸収コアとを有し、前腹部から後背部にかけてのびる本体部と、
前記本体部の前記後背部の両側縁部に基端部が固定された一対のファスニング部材と、
前記ファスニング部材の内側面に設けられた係止部材と、
前記本体部の前記前腹部の外側面に設けられ、前記係止部材が着脱自在に付着するターゲットテープと、
を備え、
前記一対のファスニング部材の少なくとも一方には、前記係止部材が前記ターゲットテープに付着した状態において前記ターゲットテープと重なる位置に、開くことにより開口部となる切れ込みが設けられており、
前記一対のファスニング部材は、前記ターゲットテープより弱い付着力で前記係止部材と付着する不織布により構成され、
前記一対のファスニング部材の先端部は、前記係止部材と前記基端部との間に位置する折曲線を基点として内側に折り畳まれており、
前記一対のファスニング部材の少なくとも一方には、前記折曲線より前記基端部側に、前記基端部側へ向けて凸形状の前記切れ込みが設けられており、
前記切れ込み内の凸状部分は、前記係止部材と部分的に重なっており、
前記ファスニング部材を開いたときに、前記係止部材とともに前記凸状部分が開いて、前記開口部が形成されることを特徴とする使い捨ておむつ。
【請求項２】
請求項１に記載の使い捨ておむつであって、
前記切れ込みの両端部は、前記折曲線上又は前記折曲線より前記先端部側に位置することを特徴とする使い捨ておむつ。
【請求項３】
請求項１または２に記載の使い捨ておむつであって、
前記切れ込みの両端部は、前記折曲線より前記基端部側に位置することを特徴とする使い捨ておむつ。
【請求項４】
請求項１から請求項３までのいずれかに記載の使い捨ておむつであって、
前記凸状部分は、略三角形状であることを特徴とする使い捨ておむつ。
【請求項５】
請求項１から請求項４までのいずれかに記載の使い捨ておむつであって、
前記凸状部分は、その頂部から局所的に前記基端部側へ向けて突出する局所凸部を有することを特徴とする使い捨ておむつ。
【請求項６】
請求項１から請求項５までのいずれかに記載の使い捨ておむつであって、
前記ファスニング部材の前記内側面は、前記ファスニング部材の外側面より、前記係止部材に対する付着力が高いことを特徴とする使い捨ておむつ。
【請求項７】
請求項１から請求項６までのいずれかに記載の使い捨ておむつであって、
前記一対のファスニング部材の少なくとも一方には、複数の前記切れ込みが設けられていることを特徴とする使い捨ておむつ。
【請求項８】
請求項１から請求項７までのいずれかに記載の使い捨ておむつであって、
前記一対のファスニング部材の双方に、前記切れ込みが設けられていることを特徴とする使い捨ておむつ。
【発明の詳細な説明】
【技術分野】
【０００１】
本発明は、使い捨ておむつに関する。
【背景技術】
【０００２】
従来、着用者が排泄する尿を吸収する、幼児用又は成人用の使い捨ておむつが知られている。従来の使い捨ておむつの一例として、特許文献１には、ファスニングテープ基材を備えた使い捨ておむつが記載されている。特許文献１の使い捨ておむつは、ファスニングテープ基材に設けられた第１の付着部と、腹側部分の外面側表面に設けられた第２の付着部とを有する。そして、第２の付着部に対して第１の付着部を止着させることにより、使い捨ておむつを着用者に着用させる。
【先行技術文献】
【特許文献】
【０００３】
【特許文献１】特開２００７−１６７１３１号公報
【発明の概要】
【発明が解決しようとする課題】
【０００４】
しかしながら、例えば、着用者の体型がやせ型である場合には、左右のファスニングテープ基材を、重ねて止着させなければならない場合がある。この場合には、先に止着させたファスニングテープ基材によって第２の付着部が覆われてしまうため、その上に重ねるファスニングテープ基材を、第２の付着部に直接的に止着させることができない、という問題がある。
【０００５】
第１の付着部が面ファスナーのフック材である場合には、第１の付着部は、ファスニングテープ基材を構成する不織布に対しても、一応の付着力を発揮する。しかしながら、その場合であっても、不織布に対する第１の付着部の付着力は、本来の第１・第２付着部間の付着力に比べると、著しく弱い。このため、従来では、一方のファスニングテープ基材の上に、他方のファスニングテープ基材を重ねて、しっかりと止着させることは、困難であった。
【０００６】
本発明は、このような事情に鑑みなされたものであり、一方のファスニング部材の上に、他方のファスニング部材を重ねて、しっかりと止着させることができる使い捨ておむつを提供することを目的とする。
【課題を解決するための手段】
【０００７】
上記課題を解決するため、本願の第１発明は、使い捨ておむつであって、液透過性のトップシートと、液不透過性のバックシートと、前記トップシート及び前記バックシートの間に介在する吸収コアとを有し、前腹部から後背部にかけてのびる本体部と、前記本体部の前記後背部の両側縁部に基端部が固定された一対のファスニング部材と、前記ファスニング部材の内側面に設けられた係止部材と、前記本体部の前記前腹部の外側面に設けられ、前記係止部材が着脱自在に付着するターゲットテープと、を備え、前記一対のファスニング部材の少なくとも一方には、前記係止部材が前記ターゲットテープに付着した状態において前記ターゲットテープと重なる位置に、開くことにより開口部となる切れ込みが設けられており、前記一対のファスニング部材は、前記ターゲットテープより弱い付着力で前記係止部材と付着する不織布により構成され、前記一対のファスニング部材の先端部は、前記係止部材と前記基端部との間に位置する折曲線を基点として内側に折り畳まれており、前記一対のファスニング部材の少なくとも一方には、前記折曲線より前記基端部側に、前記基端部側へ向けて凸形状の前記切れ込みが設けられており、前記切れ込み内の凸状部分は、前記係止部材と部分的に重なっており、前記ファスニング部材を開いたときに、前記係止部材とともに前記凸状部分が開いて、前記開口部が形成されることを特徴とする。
【００１０】
本願の第２発明は、第１発明の使い捨ておむつであって、前記切れ込みの両端部は、前記折曲線上又は前記折曲線より前記先端部側に位置することを特徴とする。
【００１１】
本願の第３発明は、第１発明又は第２発明の使い捨ておむつであって、前記切れ込みの両端部は、前記折曲線より前記基端部側に位置することを特徴とする。
【００１２】
本願の第４発明は、第１発明から第３発明までのいずれかの使い捨ておむつであって、前記凸状部分は、略三角形状であることを特徴とする。
【００１３】
本願の第５発明は、第１発明から第４発明までのいずれかの使い捨ておむつであって、前記凸状部分は、その頂部から局所的に前記基端部側へ向けて突出する局所凸部を有することを特徴とする。
【００１４】
本願の第６発明は、第１発明から第５発明までのいずれかの使い捨ておむつであって、前記ファスニング部材の前記内側面は、前記ファスニング部材の外側面より、前記係止部材に対する付着力が高いことを特徴とする。
【００１５】
本願の第７発明は、第１発明から第６発明までのいずれかの使い捨ておむつであって、前記一対のファスニング部材の少なくとも一方には、複数の前記切れ込みが設けられていることを特徴とする。
【００１６】
本願の第８発明は、第１発明から第７発明までのいずれかの使い捨ておむつであって、前記一対のファスニング部材の双方に、前記切れ込みが設けられていることを特徴とする。
【発明の効果】
【００１７】
本願の第１発明〜第８発明によれば、他方のファスニング部材の係止部材を、開口部を介してターゲットテープに付着させることができる。このため、一方のファスニング部材の上に、他方のファスニング部材を重ねて、しっかりと止着させることができる。
【００１８】
また、本願の第１発明〜第８発明によれば、凸状部分を開いて係止部材に付着させることにより、開口部を形成することができる。
【００１９】
また、本願の第１発明〜第８発明によれば、ファスニング部材を開く動作を利用して、容易に開口部を形成することができる。
【００２０】
特に、本願の第２発明によれば、ファスニング部材及び凸状部分を容易に開くことができる。
【００２１】
特に、本願の第３発明によれば、切れ込みが折曲線を横切らないため、製造時にファスニング部材を容易に折り畳むことができる。
【００２２】
特に、本願の第４発明によれば、凸状部分と係止部材とが重なる部分の面積を抑制しつつ、凸状部分の面積を広く確保することができる。
【００２３】
特に、本願の第５発明によれば、凸状部分と係止部材とが重なる部分の面積を抑制しつつ、凸状部分の面積を広く確保することができる。
【００２４】
特に、本願の第６発明によれば、凸状部分を係止部材に、よりしっかりと付着させることができる。
【００２５】
特に、本願の第７発明によれば、他方のファスニング部材の止着位置を、着用者の体型等に応じて柔軟に調整することができる。
【００２６】
特に、本願の第８発明によれば、一対のファスニング部材のどちらを上に重ねてもよいため、着用時の作業をより自由に行うことができる。
【図面の簡単な説明】
【００２７】
【図１】使い捨ておむつをトップシート側から見た平面図である。
【図２】使い捨ておむつをバックシート側から見た平面図である。
【図３】使い捨ておむつを図１中のIII−III位置から見た断面図である。
【図４】ファスニング部材の拡大図である。
【図５】一方のファスニング部材を前腹部に止着した状態の使い捨ておむつを示した図である。
【図６】変形例に係るファスニング部材の拡大図である。
【図７】変形例に係るファスニング部材の拡大図である。
【図８】変形例に係るファスニング部材の拡大図である。
【図９】変形例に係る使い捨ておむつを示した図である。
【発明を実施するための形態】
【００２８】
以下、本発明の好適な実施形態について、図面を参照しつつ説明する。
【００２９】
＜１．使い捨ておむつの本体部の構成＞
図１は、本発明の一実施形態に係る使い捨ておむつ１を、展開した状態でトップシート１０側から見た平面図である。図２は、使い捨ておむつ１を、展開した状態でバックシート２０側から見た平面図である。また、図３は、使い捨ておむつ１を図１中のIII−III位置から見た断面図である。なお、図１及び図２は、後述するサイドシート用弾性部材４１、腰周り用弾性部材５１、及び脚周り用弾性部材５２を、いずれも伸長させた状態を示している。
【００３０】
図１〜図３に示したように、使い捨ておむつ１は、液透過性のトップシート１０と、液不透過性のバックシート２０と、両シート１０，２０の間に介在する吸収コア３０と、を有する積層体である本体部２を備えている。使い捨ておむつ１の着用者が尿を排泄すると、当該尿は、トップシート１０を通過するが、バックシート２０を通過することはなく、トップシート１０とバックシート２０との間において、吸収コア３０に吸収保持される。
【００３１】
本体部２は、着用者の腹面にあてがわれる前腹部２ａと、着用者の背面にあてがわれる後背部２ｂと、前腹部２ａ及び後背部２ｂを繋ぐ股部２ｃとを有している。以下では、前腹部２ａ、股部２ｃ、及び後背部２ｂが連なる方向を「長手方向」と称し、長手方向に直交しかつ本体部２の表面に沿う方向を「幅方向」と称する。本体部２は、前腹部２ａから後背部２ｂにかけて長手方向にのび、その中間に位置する股部２ｃにおいて幅方向にくびれた形状となっている。
【００３２】
トップシート１０は、本体部２の上面側（着用者の肌面に近い側）に配置された、液透過性のシートである。トップシート１０は、前腹部２ａから後背部２ｂにかけて帯状にのび、その幅方向の寸法は、本体部２の外縁の幅方向の寸法よりも小さい。トップシート１０は、例えば、疎水性繊維（ポリプロピレン、ポリエチレン、ポリエステル、ポリアミド、ナイロン等）の表面を界面活性剤により処理して液透過性とした不織布により構成される。また、トップシート１０は、親水性繊維（セルロース、レーヨン、コットン等）を用いた不織布により構成されていてもよい。
【００３３】
バックシート２０は、本体部２の下面側（着用者の肌面から遠い側）に配置された、液不透過性のシートである。バックシート２０は、平面視において、本体部２とほぼ同等の形状を有する。すなわち、バックシート２０は、本体部２の下面全体を覆っている。バックシート２０は、例えば、疎水性繊維（ポリプロピレン、ポリエチレン、ポリエステル、ポリアミド、ナイロン等）を用いた撥水性の不織布により構成される。バックシート２０は、プラスチックフィルムにより構成されていてもよく、また、プラスチックフィルムとその下面に貼着された柔軟性の高い不織布とにより構成されていてもよい。
【００３４】
吸収コア３０は、トップシート１０とバックシート２０との間に固定された、吸液性及び保液性を有する部材である。図３に示したように、吸収コア３０は、トップシート１０とバックシート２０との間に、接着剤５５により固定されている。また、図１に示したように、吸収コア３０は、平面視において、本体部２の外縁より一回り小さく形成されている。
【００３５】
吸収コア３０は、例えば、粉砕したパルプ繊維やセルロース繊維などの親水性繊維の集合層に、粒状の高分子吸収体を混合した塊を、ティッシュペーパーなどの紙シートまたは透液性不織布シートの被覆シートで被覆したものにより構成される。また、吸収コア３０は、高吸収性ポリマーのシート状吸水体により構成されていてもよい。なお、吸収コア３０を、パルプ非存在の高分子吸収材料により構成すれば、吸収コア３０を薄型に形成することができる点で好ましい。
【００３６】
トップシート１０の上面側には、側方への尿漏れを防止するための一対のサイドシート４０が設けられている。一対のサイドシート４０は、本体部２の左右の側縁部を覆うように、長手方向にのびている。各サイドシート４０は、撥水性の不織布により構成されている。図３に示したように、一対のサイドシート４０は、幅方向外側の側縁部において、接着剤５５を介して、他のシートの上面に貼着されている。サイドシート４０の幅方向内側の側縁部は、トップシート１０の上面に貼着されておらず、トップシート１０に対して立ち上がり可能となっている。
【００３７】
また、サイドシート４０の幅方向内側の側縁部には、長手方向にのびる複数本のサイドシート用弾性部材４１を有する袋状部４２が形成されている。サイドシート用弾性部材４１は、自然長よりも伸長された状態で、サイドシート４０の袋状部４２内に接着剤（図示省略）により取り付けられている。このため、サイドシート用弾性部材４１は、サイドシート４０を長手方向に収縮させる弾性力を発生させる。
【００３８】
使い捨ておむつを開いたときには、サイドシート用弾性部材４１の弾性力により、サイドシート４０の幅方向内側の側縁部が立ち上がる。これにより、本体部２の上面に一対の起立した堰が形成され、着用者が排泄した尿の側方への漏れが防止される。
【００３９】
前腹部２ａ及び後背部２ｂには、幅方向にのびる複数本の腰周り用弾性部材５１が設けられている。腰周り用弾性部材５１は、自然長よりも伸長された状態で、トップシート１０とバックシート２０との間に、接着剤（図示省略）により取り付けられている。このため、腰周り用弾性部材５１は、前腹部２ａ及び後背部２ｂを、幅方向に収縮させる弾性力を発生させる。着用者が使い捨ておむつ１を着用したときには、腰周り用弾性部材５１の収縮力により、前腹部２ａ及び後背部２ｂを、着用者の腰周りにフィットさせることができる。
【００４０】
また、股部２ｃの幅方向の両側縁部には、長手方向にのびる複数本の脚周り用弾性部材５２が設けられている。脚周り用弾性部材５２は、自然長よりも伸長された状態で、サイドシート４０とバックシート２０との間に、接着剤（図示省略）により取り付けられている。このため、脚周り用弾性部材５２は、股部２ｃの両側縁部を、長手方向に収縮させる弾性力を発生させる。着用者が使い捨ておむつ１を着用したときには、脚周り用弾性部材５２の収縮力により、股部２ｃの両側縁部を、着用者の大腿部にフィットさせることができる。
【００４１】
なお、サイドシート用弾性部材４１、腰周り用弾性部材５１、及び脚周り用弾性部材５２には、例えば、ポリウレタン糸等の糸状の弾性部材を使用すればよい。但し、糸状の弾性部材に代えて、ポリウレタンや天然ゴム等を素材とする平板状の弾性部材が使用されてもよい。
【００４２】
＜２．ファスニング部材等の構成＞
使い捨ておむつ１は、一対のファスニング部材６０を備えている。各ファスニング部材６０の基端部６０ａは、本体部２の後背部２ｂのうち、股部２ｃより幅方向外側に張り出した部分（以下、「翼部２ｂａ」と称する）に、固定されている。具体的には、図３に示したように、翼部２ｂａにおけるサイドシート４０とバックシート２０との間に、接着剤５５を介して、ファスニング部材６０の基端部６０ａが固定されている。ファスニング部材６０は、後述する係止部材６３に付着可能な、ポリプロピレン等の不織布により構成されている。
【００４３】
各ファスニング部材６０は、ファスニング本体部６１と、ファスニング本体部６１の自由端側の端辺から幅方向外側に張り出した２つの舌片状のつまみ部６２と、を有している。図１及び図３に示したように、使い捨ておむつ１の着用前の状態において、つまみ部６２は、ファスニング本体部６１とつまみ部６２との境界線を折曲線６０ｂとして、内側に折り畳まれている。
【００４４】
各つまみ部６２の内側面には、係止部材６３が設けられている。本実施形態の係止部材６３には、面ファスナーのフック材（雄部材）が用いられている。一方、図２に示したように、本体部２の前腹部２ａの外側面には、係止部材６３を着脱自在に付着させるターゲットテープ７０が設けられている。本実施形態のターゲットテープ７０には、面ファスナーのループ材（雌部材）が用いられている。
【００４５】
本実施形態の係止部材６３は、ファスニング部材６０を構成する不織布と、ターゲットテープ７０との双方に対して、付着可能となっている。但し、ファスニング部材６０に対する係止部材６３の付着力は、ターゲットテープ７０に対する係止部材６３の付着力よりも、弱い。
【００４６】
図２に示したように、ファスニング部材６０のファスニング本体部６１には、ファスニング本体部６１を厚み方向に貫通する切れ込み６４が設けられている。切れ込み６４は、ファスニング本体部６１の自由端側の端辺の近傍で、かつ、各つまみ部６２に対応する位置に配置されている。また、切れ込み６４は、ファスニング部材６０の基端部６０ａ側へ向けて凸形状となるような、山形に形成されている。各切れ込み６４内の略三角形状の部分（以下、「凸状部分６５」と称する。）は、ファスニング本体部６１の他の部分に対して、展開可能となっている。
【００４７】
図４は、一方のファスニング部材６０の拡大図である。使い捨ておむつ１の着用前には、つまみ部６２は、折曲線６０ｂを境として、内側へ折り畳まれている（図４中の下側のつまみ部６２参照）。そして、係止部材６３が、ファスニング本体部６１の内側面に付着している。また、図４に示したように、係止部材６３と、切れ込み６４内の凸状部分６５の先端部とは、平面視において重なっている。このため、係止部材６３は、凸状部分６５の先端部にも付着している。
【００４８】
つまみ部６２の先端をつまんで、外側へ開くと（図４中の上側のつまみ部６２参照）、係止部材６３とファスニング本体部６１との係合は、その大部分が解除される。しかしながら、凸状部分６５の先端部は、係止部材６３に付着した状態に維持される。このため、つまみ部６２を外側へ開くと、係止部材６３とともに、凸状部分６５も外側へ開く。その結果、ファスニング本体部６１に開口部６６が形成される。
【００４９】
このように、本実施形態では、ファスニング部材６０のつまみ部６２を開く動作を利用して、ファスニング本体部６１に、開口部６６を形成することができる。
【００５０】
なお、つまみ部６２を開いたときに、係止部材６３と凸状部分６５との係合が解除されてしまい、つまみ部６２と同時に凸状部分６５が開かない場合も、想定される。そのような場合には、凸状部分６５を手動で開き、凸状部分６５の先端部を係止部材６３に付着させることにより、開口部６６を形成すればよい。
【００５１】
本実施形態では、凸状部分６５は略三角形状に形成されており、その先端部のみが、係止部材６３に付着されている。このため、係止部材６３と凸状部分６５とが重なる部分の面積は、小さい。これにより、係止部材６３の残りの部分の面積（すなわち、ターゲットテープ７０に対して付着する部分の面積）が、広く確保されている。一方、凸状部分６５の裾部分は長手方向に広がっているため、開口部６６の面積は、広く確保されている。
【００５２】
すなわち、本実施形態では、凸状部分６５が略三角形状であることにより、係止部材６３と凸状部分６５とが重なる部分の面積を抑制しつつ、開口部６６の面積を広く確保し得るものとなっている。
【００５３】
また、本実施形態では、切れ込み６４の両端部は、折曲線６０ｂより基端部６０ａ側に位置している。すなわち、切れ込み６４が折曲線６０ｂを横切っていない。このため、製造時において、ファスニング部材６０に切れ込み６４を形成した後に、つまみ部６２を折り畳む作業を、容易に行うことができる。
【００５４】
ファスニング部材６０を構成する不織布は、一方の面が平滑なフラット面となっており、他方の面が細かい凹凸を有するエンボス面となっている。エンボス面に対する係止部材６３の付着力は、フラット面に対する係止部材６３の付着力よりも強い。本実施形態では、ファスニング部材６０の内側面に、付着力の強いエンボス面を配置している。これにより、凸状部分６５の先端部と係止部材６３とを、よりしっかりと付着させている。
【００５５】
＜３．使い捨ておむつの着用手順＞
続いて、上記の使い捨ておむつ１の着用手順について、以下に説明する。
【００５６】
使い捨ておむつ１を着用するときには、まず、前腹部２ａ、股部２ｃ、及び後背部２ｂが、着用者の腹面、股間、及び背面にそれぞれ面するように、使い捨ておむつ１を着用者にあてがう。
【００５７】
次に、ファスニング部材６０の各つまみ部６２の先端をつまんで、つまみ部６２を外側へ開く。つまみ部６２を外側へ開くと、係止部材６３とともに、凸状部分６５も外側へ開く。これにより、図４に示したように、ファスニング本体部６１に開口部６６が形成される。
【００５８】
続いて、一方のファスニング部材６０を、着用者の側腰部に沿って腹面側まで引っ張り、ターゲットテープ７０に係止部材６３を付着させる。これにより、前腹部２ａに、一方のファスニング部材６０を止着する。図５は、一方のファスニング部材６０を前腹部２ａに止着したときの使い捨ておむつ１を示した図である。
【００５９】
図５に示したように、一方のファスニング部材６０の係止部材６３をターゲットテープ７０に付着させると、当該ファスニング部材６０の開口部６６は、ターゲットテープ７０と重なる位置に配置される。すなわち、開口部６６を介して、ターゲットテープ７０が覗いた状態となる。
【００６０】
その後、他方のファスニング部材６０を、着用者の腹面側まで引っ張り、当該ファスニング部材６０の係止部材６３を、先に止着されたファスニング部材６０の開口部６６を介して、ターゲットテープ７０に付着させる。これにより、一方のファスニング部材６０の上に、他方のファスニング部材６０を重ねて止着させる。
【００６１】
後に止着されるファスニング部材６０の係止部材６３は、先に止着されたファスニング部材６０自体の表面と、開口部６６内に露出したターゲットテープ７０との、双方に付着する。特に、後に止着されるファスニング部材６０の係止部材６３とターゲットテープ７０とは、開口部６６を介して、直接的に付着することとなる。このため、一方のファスニング部材６０の上に、他方のファスニング部材を重ねて、しっかりと止着させることができる。
【００６２】
＜４．変形例＞
以上、本発明の一実施形態について説明したが、本発明は上記の実施形態に限定されるものではない。
【００６３】
上記の実施形態では、係止部材６３及びターゲットテープ７０は、それぞれ、フック材及びループ材により構成されていたが、係止部材６３及びターゲットテープ７０は、粘着材等の他の素材により構成されてもよい。
【００６４】
また、上記の実施形態では、切れ込み６４の両端部が、折曲線６０ｂより基端部６０ａ側に位置していたが、切れ込み６４の両端部は、折曲線６０ｂ上に位置していてもよい。また、図６に示したように、切れ込み６４の両端部が、折曲線６０ｂよりつまみ部６２側に位置していてもよい。このようにすれば、開口部６６の面積をより広く確保することができる。また、つまみ部６２を開いたときに、凸状部分６５が引っ張られることなく、ゆとりをもって折り返される。このため、つまみ部６２及び凸状部分６５を、容易に開くことができる。
【００６５】
また、上記の実施形態では、凸状部分６５は略三角形状であったが、凸状部分６５は、他の形状であってもよい。例えば、図７のように、凸状部分６５が、長手方向に広い裾部６５ａと、裾部６５ａの頂部から局所的に基端部６０ａ側へ向けて突出した局所凸部６５ｂとを有する形状とし、局所凸部６５ｂを係止部材６３に付着させるようにしてもよい。このようにすれば、凸状部分６５と係止部材６３とが重なる部分の面積を抑制しつつ、開口部６６の面積をより広く確保することができる。
【００６６】
また、上記の実施形態では、各係止部材６３に対して切れ込み６４が１つずつ設けられていたが、各係止部材６３に対して複数の切れ込み６４が設けられていてもよい。例えば、図８のように、各係止部材６３に対して２つの切れ込み６４が設けられていてもよい。
【００６７】
なお、上記の実施形態や図８のように、ファスニング部材６０に複数の切れ込み６４が設けられていれば、他方のファスニング部材６０の止着位置を、着用者の体型等に応じて柔軟に調整することができる。
【００６８】
また、上記の実施形態では、一対のファスニング部材６０の双方に、切れ込み６４が設けられていたが、切れ込み６４は、一対のファスニング部材６０の少なくとも一方に設けられていればよい。但し、一対のファスニング部材６０の双方に切れ込み６４が設けられていれば、一対のファスニング部材６０のどちらを上に重ねることも可能となる。従って、着用時の作業をより自由に行うことができる。
【００６９】
また、上記の実施形態では、ファスニング部材６０に切れ込み６４が形成され、切れ込み６４内の凸状部分６５を開くことにより、開口部６６が形成された。しかしながら、例えば、図９のように、ファスニング部材６０のファスニング本体部６１に、予め、複数の開口部６６が形成されていてもよい。このようにすれば、凸状部分６５を開く作業が不要となる。また、つまみ部６２を折り畳んだ状態において係止部材６３と重なる位置に限らず、より広い範囲に、開口部６６を設けることができる。
【００７０】
なお、図８や図９の例では、各開口部６６が、幅方向に長い短冊形に形成されている。このような形状にすれば、開口部６６を広い範囲に形成しつつ、ファスニング部材６０の幅方向への引っ張りに対する強度の低下を抑制することができる。
【符号の説明】
【００７１】
１  使い捨ておむつ
２  本体部
２ａ  前腹部
２ｂ  後背部
２ｂａ  翼部
２ｃ  股部
１０  トップシート
２０  バックシート
３０  吸収コア
４０  サイドシート
４１  サイドシート用弾性部材
５１  腰周り用弾性部材
５２  脚周り用弾性部材
５５  接着剤
６０  ファスニング部材
６０ａ  基端部
６０ｂ  折曲線
６１  ファスニング本体部
６２  つまみ部
６３  係止部材
６４  切れ込み
６５  凸状部分
６５ａ  裾部
６５ｂ  局所凸部
６６  開口部
７０  ターゲットテープ
【図１】
0005417063.tif 000002
【図２】
0005417063.tif 000003
【図３】
0005417063.tif 000004
【図４】
0005417063.tif 000005
【図５】
0005417063.tif 000006
【図６】
0005417063.tif 000007
【図７】
0005417063.tif 000008
【図８】
0005417063.tif 000009
【図９】
0005417063.tif 000010